(57)【要約】【課題】パレットに積載した物品に対して荷崩れを防止する処置の作業負荷が小さく、物流資材とそれを使用するための装置を必要としない荷崩れ防止機能付パレットの提供。【解決手段】パレット部と、そのパレット部に積載された物品の荷崩れを防止する荷崩れ防止部とから成る荷崩れ防止機能付パレットであって、荷崩れ防止部は、物品に被せてパレット部の対向する２つの縁に固定することにより荷崩れを防止する荷崩れ防止シートと、荷崩れ防止シートを使用時に巻出し不使用時に巻取って収納するためにパレット部の縁の一方に設けられたシート収納手段と、使用時に巻出した荷崩れ防止シートの巻出し先端部をパレット部の縁の他方に固定するシート先端固定手段と、シート収納手段に設けられ荷崩れ防止シートの巻出し動作を停止させるようにしたシート動作停止手段とから成る。【選択図】  図１
2007331820.tif 000002
【特許請求の範囲】
【請求項１】
物品を積載して輸送するためのパレット部と、そのパレット部に積載された物品の荷崩れを防止する荷崩れ防止部とから成る荷崩れ防止機能付パレットであって、前記荷崩れ防止部は、荷崩れ防止シートとシート収納手段とシート先端固定手段とシート動作停止手段とを具備し、
前記荷崩れ防止シートは前記物品に被せて前記パレット部の対向する２つの縁に固定することにより荷崩れを防止し、
前記シート収納手段は前記荷崩れ防止シートを使用時に巻出し、不使用時に巻取って収納するために前記パレット部の縁の一方に設けられ、
前記シート先端固定手段は使用時に巻出した前記荷崩れ防止シートの巻出し先端部を前記パレット部の縁の他方に固定し、
前記シート動作停止手段は前記シート収納手段に設けられ前記荷崩れ防止シートの巻出し動作を停止させる、
ことを特徴とする荷崩れ防止機能付パレット。
【請求項２】
請求項１記載の荷崩れ防止機能付パレットにおいて、前記パレット部は前記物品の積載面が長方形であって、前記対向する２つの縁は２組存在し、各々の組に前記荷崩れ防止シートとシート収納手段とシート先端固定手段とシート動作停止手段とを具備することを特徴とする荷崩れ防止機能付パレット。
【請求項３】
請求項１または２記載の荷崩れ防止機能付パレットにおいて、前記シート動作停止手段は動作方向を一方に制限するために用いられるラチェット（ratchet）機構であることを特徴とする荷崩れ防止機能付パレット。
【請求項４】
請求項１〜３のいずれかに記載の荷崩れ防止機能付パレットにおいて、前記シート収納手段における前記巻取って収納する機構は、ばねの戻りを利用した機構であることを特徴とする荷崩れ防止機能付パレット。
【発明の詳細な説明】
【技術分野】
【０００１】
本発明はパレットに積載した物品の荷崩れを防止する技術分野に属する。特に、荷崩れを防止するための物流資材（シュリンクフィルム、ストレッチフィルム、等）を消耗することがない荷崩れ防止機能付パレットに関する。
【背景技術】
【０００２】
物流の分野においては荷崩れすることなく輸送できるようにパレットに積載した物品に対するシュリンク包装、ストレッチ包装、等が行われている。シュリンク包装においては、熱収縮性プラスチックフィルム（シュリンクフィルム）の袋を被包装物（パレットに積載した物品）に被せ、シュリンクフィルムを加熱収縮させることによって一体化し荷崩れを防止する。ストレッチ包装においては、弾性を有するプラスチックフィルム（ストレッチフィルム）を被包装物の側面に張力を与えながら巻き付けて一体化し、フィルム表面の適度な粘着性によって固定させ荷崩れを防止する（特許文献１、特許文献２、特許文献３）。
【特許文献１】特開２００１−４８９９６
【特許文献２】実登３０１３７１５
【特許文献３】特開２００１−２４０１２１
【０００３】
これら従来の方法においては、パレットに積載した物品に対して荷崩れを防止するための処置を施す際には、その処置のための作業負荷が大きい。それだけでなく、パレットとは別に、ストレッチフィルム、シュリンクフィルム等の荷崩れ防止用の物流資材を準備する必要性がある。また、それらの物流資材を使用して荷崩れを防止するための専用装置を設置する必要性がある。
【発明の開示】
【発明が解決しようとする課題】
【０００４】
本発明は上記の問題を解決するために成されたものである。その目的は、パレットに積載した物品に対して荷崩れを防止する処置の作業負荷が小さく、物流資材とそれを使用するための装置を必要としない荷崩れ防止機能付パレットを提供することにある。
【課題を解決するための手段】
【０００５】
本発明の請求項１に係る荷崩れ防止機能付パレットは、物品を積載して輸送するためのパレット部と、そのパレット部に積載された物品の荷崩れを防止する荷崩れ防止部とから成る荷崩れ防止機能付パレットであって、前記荷崩れ防止部は、荷崩れ防止シートとシート収納手段とシート先端固定手段とシート動作停止手段とを具備し、前記荷崩れ防止シートは前記物品に被せて前記パレット部の対向する２つの縁に固定することにより荷崩れを防止し、前記シート収納手段は前記荷崩れ防止シートを使用時に巻出し、不使用時に巻取って収納するために前記パレット部の縁の一方に設けられ、前記シート先端固定手段は使用時に巻出した前記荷崩れ防止シートの巻出し先端部を前記パレット部の縁の他方に固定し、前記シート動作停止手段は前記シート収納手段に設けられ前記荷崩れ防止シートの巻出し動作を停止させるようにしたものである。
また本発明の請求項２に係る荷崩れ防止機能付パレットは、請求項１に係る荷崩れ防止機能付パレットにおいて、前記パレット部は前記物品の積載面が長方形であって、前記対向する２つの縁は２組存在し、各々の組に前記荷崩れ防止シートとシート収納手段とシート先端固定手段とシート動作停止手段とを具備するようにしたものである。
また本発明の請求項３に係る荷崩れ防止機能付パレットは、請求項１または２に係る荷崩れ防止機能付パレットにおいて、前記シート動作停止手段は動作方向を一方に制限するために用いられるラチェット（ratchet）機構であるようにしたものである。
また本発明の請求項４に係る荷崩れ防止機能付パレットは、請求項１〜３のいずれかに係る荷崩れ防止機能付パレットにおいて、前記シート収納手段における前記巻取って収納する機構は、ばねの戻りを利用した機構であるようにしたものである。
【発明の効果】
【０００６】
本発明の請求項１に係る荷崩れ防止機能付パレットによれば、物品に被せてパレット部の対向する２つの縁に固定する荷崩れ防止シートにより荷崩れが防止され、パレット部の縁の一方に設けられたシート収納手段により荷崩れ防止シートが使用時に巻出され、不使用時に巻取られて収納され、シート先端固定手段により使用時に巻出した荷崩れ防止シートの巻出し先端部がパレット部の縁の他方に固定され、シート収納手段に設けられたシート動作停止手段により荷崩れ防止シートの巻出し動作が停止させられる。すなわち、荷崩れ防止シートを物品に被せてから荷崩れ防止シートを固定するという簡易な作業によってパレット部に積載された物品が固定される。したがって、パレットに積載した物品に対して荷崩れを防止する処置の作業負荷が小さく、物流資材とそれを使用するための装置を必要としない荷崩れ防止機能付パレットが提供される。
また本発明の請求項２に係る荷崩れ防止機能付パレットによれば、パレット部は物品の積載面が長方形であって、対向する２つの縁は２組存在し、各々の組に荷崩れ防止シートとシート収納手段とシート先端固定手段とシート動作停止手段とを具備する。すなわち、直交する２つの方向から荷崩れ防止シートを物品に被せて物品を固定することができる。したがって、２つの方向から、より強固に荷崩れを防止することができる。
また本発明の請求項３に係る荷崩れ防止機能付パレットによれば、シート動作停止手段は動作方向を一方に制限するために用いられるラチェット（ratchet）機構である。すなわち、荷崩れ防止シートのテンションが強化される方向にだけ動作するように制限することができる。したがって、荷崩れ防止シートのテンションによって、より強固に荷崩れを防止することができる。
また本発明の請求項４に係る荷崩れ防止機能付パレットによれば、シート収納手段における巻取って収納する機構が、ばねの戻りを利用した機構である。したがって、荷崩れ防止シートを自動収納（ワンタッチ収納）することができ、オペレータの作業負荷が軽減される。
【発明を実施するための最良の形態】
【０００７】
次に、本発明の実施の形態について図を参照しながら説明する。本発明の荷崩れ防止機能付パレットにおける構成の一例を図１、図２に示す。図１、図２において、１００はパレット部、２００，２００ａ，２００ｂは荷崩れ防止部である。
本発明の荷崩れ防止機能付パレットは、図１に示すように、パレット部１００に荷崩れ防止部２００ａ，２００ｂを固定した構成となっている。
【０００８】
パレット部１００は、本発明の荷崩れ防止機能付パレットにおいて、物品を輸送するために積載する部分、すなわちパレットの部分である。パレット部１００は、一般のパレットと基本的には同一である。ただし、荷崩れ防止部２００ａ，２００ｂを取付ける部分、等の荷崩れ防止部２００ａ，２００ｂを機能させるための構成を有する。
パレット部１００は、図１、図２に示す一例においては、物品を載せる積載面１０１ａ，１０１ｂと、フォークリフト、パレットフォーク、等のフォーク部分を挿入するための挿入口１０２ａ，１０２ｂ・・・、表裏の積載面１０１ａ，１０１ｂを結合する結合部材１０３ａ，１０４ｂ・・・、等から構成される。パレット部１００は、木材、プラスチック、等を材料として作られているものが多く、本発明においても周知の材料をパレット部１００の材料として使用することができる。
パレット部１００は、図１（Ｂ）に示すように、物品の積載面が一般的な長方形のときには、その対向する２つの縁は２組存在する。その場合、荷崩れ防止部２００ａ，２００ｂは、その各々の組に設ける。なお、パレット部１００における物品の積載面は六角形、八角形であってもよく、長方形に限定されない。六角形のときにはその対向する２つの縁は３組が存在し、八角形のときにはその対向する２つの縁は３組が存在するから、それぞれに応じて、必要な数の荷崩れ防止部を設ければよい。
【０００９】
荷崩れ防止部２００ａ，２００ｂは、本発明の荷崩れ防止機能付パレットにおいて、パレット部１００に積載された物品の荷崩れを防止する部分である。荷崩れ防止部２００ａ，２００ｂは、図３に示すように、いわゆるロールスクリーンと同様の形態とすることができる。ロールスクリーンは、ロール上に巻いた布を引下げ巻上げすることによって視界、外光、雰囲気を調節するウィンドーエレメントである。ただし、荷崩れ防止部２００ａ，２００ｂは形態として類似するものの、用途・目的は勿論のこと質的に全く異なったものである。すなわち、荷崩れ防止部２００ａ，２００ｂは荷崩れ防止のために物品を固定する機能、強度、耐久性、等を必要とする。
この荷崩れ防止部は、荷崩れ防止シート２０１ａとシート収納手段２０２ａとシート先端固定手段とシート動作停止手段（図示せず）とを備える。
【００１０】
荷崩れ防止シート２０１ａは、パレット部１００に積載された物品に被せてパレット部１００の対向する２つの縁において固定することにより荷崩れを防止するためのシートである。荷崩れ防止シート２０１ａはヨットの帆布のように丈夫な布、ゴムシート、ネット、複合材シート、等の可撓性と強度とを有するシート状の材料を主材料とする。
【００１１】
シート収納手段２０２ａは荷崩れ防止シート２０１ａを、たとえばロール（図示せず）に巻き付けて巻取体として収納する手段である。使用するときには荷崩れ防止シート２０１ａをシート収納手段２０２ａから巻出して使用する。使用しないときには荷崩れ防止シート２０１ａをシート収納手段２０２ａに巻取って収納する。シート収納手段２０２ａの外形は、細い棒状のコンパクトな形状とすることができる。シート収納手段２０２ａの長さは、荷崩れ防止シート２０１ａの巻取体を収容できる長さ、すなわち荷崩れ防止シート２０１ａ幅よりも少し大きくなっている。また、シート収納手段２０２ａの太さは、巻取体を収容できる直径よりも少し大きい直径である。このようなコンパクトな形状のシート収納手段２０２ａは、図１（Ｂ）に示すように、パレット部１００の縁に沿うように配置して固定することができる。この配置においては、物品の積載、輸送、保管、等の作業において機械的な干渉を起こすことがない。
なお、シート収納手段２０２ａにおける荷崩れ防止シート２０１ａを巻取って収納する機構として、巻出したときにコイルばね等が連動して巻上がることによって、戻りのエネルギーを蓄積する機構とすることができる。その機構においては、荷崩れ防止シート２０１ａは自動収納されるため作業性が向上し好適である。
【００１２】
シート先端固定手段（図示せず）は、使用時に巻出した荷崩れ防止シート２０１ａの巻出し先端部を、パレット部１００のシート収納手段２０２ａを設けた縁に対向する側の縁に固定する手段である。図１に示す一例においては、荷崩れ防止シート２０１ａの先端の縁は力を受けても変形の少ない剛性棒と可撓性のシートとが結合した構成となっている。シート先端固定手段は、その剛性棒の中央に設けられたシート側連結部材２０３ａと、パレット１００の縁の中央に設けられたパレット側連結部材（図示せず）とから構成される。シート側連結部材２０３ａとパレット側連結部材とは連結と開放とを手動で行うことができる。シート側連結部材２０３ａとパレット側連結部材とは、たとえば、鍵（フック）と鍵受、クランプ機構、等の周知の連結機構を適用することができる。
【００１３】
シート動作停止手段は、シート収納手段２０２ａに設けられており、荷崩れ防止シートの２０１ａ巻出し動作を停止させる。シート収納手段２０２ａから荷崩れ防止シート２０１ａを巻出して物品に被せた後に、シート動作停止手段によって荷崩れ防止シートの２０１ａの巻出し動作を停止することによって、パレット部１００に積載された物品を固定し荷崩れを防止する。シート動作停止手段としては、荷崩れ防止シートの２０１ａを機械的に挟んで固定する周知の固定機構を適用することができる。また、シート動作停止手段としては、荷崩れ防止シート２０１ａを巻付けるロールの回転を停止させる周知の逆転防止機構を適用することができる。たとえば、荷崩れ防止シート２０１ａの巻出し巻取り動作における動作方向を一方に制限するために用いられるラチェット（ratchet）機構を使用することができる。ラチェット機構を動作させることにより動作方向がパレット部１００に積載された物品を固定する巻取り方向にだけ動作方向が制限される。ラチェット機構を非動作とすることにより巻出し巻取りの両方向に動作可能となる。
【００１４】
以上、構成について説明した、次に、本発明の荷崩れ防止機能付パレットにおける動作について説明する。本発明の荷崩れ防止機能付パレットによってパレット部１００に積載された物品に対して荷崩れ防止の処置を施す過程を図４〜図７に説明図として示す。
まず、パレット部１００への物品の積載を終了する。このとき、図４に示すように、パレット部１００には所定数量の物品が積載されている。
次に、オペレータは、図５に示すように、荷崩れ防止部２００ａに収納されている荷崩れ防止シート２０１ａを巻出しながら積載された物品の上に被せて行く。このステップにおいては、荷崩れ防止部２００ａのシート動作停止手段であるラチェット機構を非動作すなわち巻出し巻取りの両方向に動作可能とするか、巻出し方向にだけ動作可能とする。そして、荷崩れ防止シート２０１ａの先端部分は剛性棒であるため、その剛性棒の部分を手で掴んで巻出すか、その剛性棒に設けられたシート側連結部材２０３ａの部分を手で掴んで巻出すことにより容易かつ確実に行うことができる。
【００１５】
次に、オペレータは、荷崩れ防止シート２０１ａのシート側連結部材２０３ａの部分を、パレット側連結部材の部分に近づけて行く。パレット側連結部材は、荷崩れ防止シート２０１ａが設けられたパレット部１００の縁に対して対向するパレット部１００の縁に設けられている。そして、オペレータは、シート側連結部材２０３ａとパレット側連結部材を連結し、荷崩れ防止シート２０１ａの先端をパレット部１００の縁に固定する。さらに、オペレータは、シート収納手段２０２ａに設けられたシート動作停止手段であるラチェット機構を動作させる。すなわち、荷崩れ防止シート２０１ａの動作方向を、パレット部１００に積載された物品を固定するテンションが強化される方向、すなわち巻取り方向だけに制限する。このとき、図６に示すように、パレット部１００に積載された物品は荷崩れ防止シート２０１ａによって固定され荷崩れが防止される。
【００１６】
次に、オペレータは、荷崩れ防止部２００ｂに収納されている荷崩れ防止シート２０１ｂを巻出しながら積載された物品の上に被せて行く。前述と同様で、このステップにおいては、荷崩れ防止部２００ｂのシート動作停止手段であるラチェット機構を非動作とする。荷崩れ防止シート２０１ｂの剛性棒の部分、またはその剛性棒に設けられたシート側連結部材２０３ｂの部分を手で掴んで巻出すことにより容易かつ確実に行うことができる。さらに、荷崩れ防止シート２０１ｂのシート側連結部材２０３ｂの部分をパレット側連結部材の部分に近づけて連結し固定する。さらに、シート収納手段２０２ｂに設けられたラチェット機構を動作させる。このとき、図７に示すように、パレット部１００に積載された物品は荷崩れ防止シート２０１ｂによって固定され荷崩れが防止される。
【００１７】
以上の過程により、直交する２つの方向から荷崩れ防止シート２０１                ａ，２０１ｂを物品に被せて物品を固定することができる。したがって、２つの方向から、より強固に荷崩れを防止することができる。
なお、荷崩れ防止の処置を施した本発明の荷崩れ防止機能付パレットにおいて、荷崩れ防止を解くときには、オペレータは、ラチェット機構を非動作としてから荷崩れ防止シート２０１ｂとパレット部１００との連結を開放する（外す）。シート収納手段２０２ａにおいては、巻出したときにコイルばね等が連動して巻上がることによって、戻りのエネルギーが蓄積されている。したがって、その開放により荷崩れ防止シート２０１ｂが自動収納される。同様に、荷崩れ防止シート２０１ａの側を開放することにより、荷崩れ防止機能付パレットにおいて完全に荷崩れ防止を解くことができる。
【図面の簡単な説明】
【００１８】
【図１】本発明の荷崩れ防止機能付パレットにおける構成の一例を示す図（組付図）である。
【図２】本発明の荷崩れ防止機能付パレットにおけるパレット部の説明図である。
【図３】本発明の荷崩れ防止機能付パレットにおける荷崩れ防止部の説明図である。
【図４】本発明の荷崩れ防止機能付パレットにおいて荷崩れ防止を施す過程の説明図（その１）である。
【図５】本発明の荷崩れ防止機能付パレットにおいて荷崩れ防止を施す過程の説明図（その２）である。
【図６】本発明の荷崩れ防止機能付パレットにおいて荷崩れ防止を施す過程の説明図（その３）である。
【図７】本発明の荷崩れ防止機能付パレットにおいて荷崩れ防止を施す過程の説明図（その４）である。
【符号の説明】
【００１９】
１００  パレット部
２００，２００ａ，２００ｂ  荷崩れ防止部
２０１ａ，２０１ｂ  荷崩れ防止シート
２０２ａ，２０２ｂ  シート収納手段
２０３ａ，２０３ｂ  シート側連結部材
【図１】
2007331820.tif 000003
【図２】
2007331820.tif 000004
【図３】
2007331820.tif 000005
【図４】
2007331820.tif 000006
【図５】
2007331820.tif 000007
【図６】
2007331820.tif 000008
【図７】
2007331820.tif 000009